(57)【特許請求の範囲】
【請求項１】
地面等に打ち込んだ杭(12)を着脱自在に把持し得るチャック(22)を備え、このチャック(22)に接続した長尺のチェン(18)をラチェット式のホイスト(20)により一方向へ送り出すことで、前記杭(12)を地面等から引き抜くようにした杭抜き機(10)において、
前記チャック(22)は、
所要間隔で対向配置した２枚の逆Ｌ字形をなすチャック本体(38,38)と、
前記チャック本体(38,38)の上部開放端に近接した部位に挿通されて、該チャック本体(38,38)を固定する接続ピン(41)と、
前記接続ピン(41)に配設されて、前記ホイスト(20)からのチェン(18)が係着されるシャックル(44)と、
前記２枚のチャック本体(38,38)の略中間近傍に配設され、前記杭(12)の直径より大きい内径寸法に設定された円弧状の第１ジョー(46)と、
前記２枚のチャック本体(38,38)の下部開放端に配設され、前記杭(12)の直径より大きい内径寸法に設定した円弧状の第２ジョー(48)とからなり、
前記第１ジョー(46)および第２ジョー(48)はチャック本体(38,38)に対して上下の関係で位置すると共に、平面視において第１ジョー(46)が接続ピン(41)に近接する側に、また第２ジョー(48)が該接続ピン(41)から離間する側に位置した２つの円弧が対向し合って全体的にリング状をなし、
夫々の円弧状ジョー(46,48)には周方向に所要間隔で配置されて、半径方向内方へ進退自在に延出する複数のセットスクリュー(50)を設け、
高低差をもって対向し合う２つの円弧状ジョー(46,48)の内側に前記杭(12)を臨ませた後に、夫々のセットスクリュー(50)を前進させることで杭(12)の外周をチャッキングするよう構成した
ことを特徴とする杭抜き機のチャッキング機構。
【請求項２】
前記ホイスト(20)からのチェン(18)を巻き下げて緩めた状態とした後に、前記チャック本体(38,38)を前記杭(12)から離間する方向へ傾動させることで、チャッキングされている杭(12)を前記チャック(22)から解放し得るようになっている請求項１記載の杭抜き機のチャッキング機構。
【請求項３】
前記杭(12)が長尺で打ち込み深さが大きい場合は、前記チャック本体(38,38)を前記杭(12)から離間する方向へ傾動させてチャッキングを解除する操作および前記ホイスト(20)によりチェン(18)を巻き上げる操作が交互に反復される請求項１記載の杭抜き機のチャッキング機構。
【発明の詳細な説明】
【０００１】
【発明の属する技術分野】
この発明は杭抜き機のチャッキング機構に関し、更に詳細には、地面等に打ち込んだパイプ等の杭を、簡単な構成でありながら大型機械等を使用することなく極めて容易に引き抜くことができるようにした杭抜き機のチャッキング機構に関するものである。
【０００２】
【従来の技術】
例えば建設現場の周囲を取り囲むフェンスを設けたり、仮設の看板を立てたりする場合に、これらフェンスや看板を支持する杭ないし支柱として金属製のパイプが使用される。このパイプは、一般に地面に垂直に所定深さまで打ち込まれて前記フェンスや看板の支持に供され、使用後は地面から引き抜くことで撤収がなされる。また木製やコンクリート製の杭を仮設的に地面等に打ち込んだ後に、必要に応じてこの杭を引き抜く場合も種々の局面で考えられる。
【０００３】
【発明が解決すべき課題】
前述したパイプに代表される杭を地面等から引き抜く際には、一般に極めて大きな力を要するために、大掛かりな杭抜き機構となってしまう。例えばビル建築の基礎地盤を作る際には、該地盤にコンクリートパイルを打ち込むことが行なわれるが、該パイルを引き抜く必要が生じた際には専用の大型杭抜き機が使用される。このようなコンクリートパイルより小さな杭の引き抜きは、例えば該杭の上部にスチールワイヤを巻き付けると共に、このワイヤの他端をパワーショベルの如き建機のブームに括り付け、このブームを斜めに上昇させることで実施されている。しかし前記パイプの如く比較的小さな杭の引き抜きには、パワーショベル等を使用することは大掛かりに過ぎ、また効率的でないという難点がある。かといって、前記の如き小さな杭を人力だけで引き抜こうとすると多大な労力の消耗となり、多数本の杭の引き抜きには到底対処し得ないことになる。
【０００４】
【発明の目的】
本発明は、前述した課題を好適に解決するために提案されたものであって、例えば地面に打ち込んだパイプ等の杭を、簡単な構成でありながら極めて容易に引き抜くことができるようにした杭抜き機のチャッキング機構を提供することを目的とする。
【０００５】
【発明を解決するための手段】
前記課題を克服し、所期の目的を達成するため本発明は、地面等に打ち込んだ杭を着脱自在に把持し得るチャックを備え、このチャックに接続した長尺のチェンをラチェット式のホイストにより一方向へ送り出すことで、前記杭を地面等から引き抜くようにした杭抜き機において、
前記チャックは、
所要間隔で対向配置した２枚の逆Ｌ字形をなすチャック本体と、
前記チャック本体の上部開放端に近接した部位に挿通されて、該チャック本体を固定する接続ピンと、
前記接続ピンに配設されて、前記ホイストからのチェンが係着されるシャックルと、
前記２枚のチャック本体の略中間近傍に配設され、前記杭の直径より大きい内径寸法に設定された円弧状の第１ジョーと、
前記２枚のチャック本体の下部開放端に配設され、前記杭の直径より大きい内径寸法に設定した円弧状の第２ジョーとからなり、
前記第１ジョーおよび第２ジョーはチャック本体に対して上下の関係で位置すると共に、平面視において第１ジョーが接続ピンに近接する側に、また第２ジョーが該接続ピンから離間する側に位置した２つの円弧が対向し合って全体的にリング状をなし、
夫々の円弧状ジョーには周方向に所要間隔で配置されて、半径方向内方へ進退自在に延出する複数のセットスクリューを設け、
高低差をもって対向し合う２つの円弧状ジョーの内側に前記杭を臨ませた後に、夫々のセットスクリューを前進させることで杭の外周をチャッキングするよう構成したことを特徴とする。
【０００６】
【発明の実施の形態】
次に本発明につき、地面に打ち込んだパイプの如き杭を引き抜くのに使用される杭抜き機を例示して、添付図面を参照しながら以下説明する。
【０００７】
【杭抜き機の全体構成について】
図１は、本願の第１発明の好適な実施例に係る杭抜き機１０の正面図、図２は図１に示す杭抜き機１０の左側面図、図３は図１に示す杭抜き機１０の平面図である。この杭抜き機１０は、例えばパイプ杭１２を打ち込んだ地面に載置される支持板１４と、この支持板１４に立設した逆Ｕ字状をなす垂直フレーム１６と、この垂直フレーム１６の上方部位に配設され、一方向へのみ回転させられて長尺のチェン１８を送り出すラチェット式のホイスト２０と、このホイスト２０に巻き掛けられて垂下する前記チェン１８の下端部に設けられ、前記地面に打ち込まれたパイプ杭１２の頭部を着脱自在に把持するチャック２２とから基本的に構成されている。
【０００８】
すなわち支持板１４は、図３に示す如く、矩形状をなす金属板からなり、この支持板１４の一方の端縁部に近接した部位に、逆Ｕ字をなす垂直フレーム１６の２本脚の下部が溶接等の手段により固定されている。この垂直フレーム１６は、例えば所要径の鋼管を逆Ｕ字に折曲して形成され、上方に近い部位に梁板２４が水平に固定されている。前記支持板１４は、垂直フレーム１６における２本脚の直下の中間から前方に掛けて湾状の切欠２６を有し、この切欠２６に後述の如く引き抜くべきパイプ杭１２が挿入されるようになっている。また前記垂直フレーム１６の脚部および前記支持板１４の間に三角形の板材２８が溶接されて、両部材の接合を補強している。また図１および図２に示すように、垂直フレーム１６の両脚部には、支持部材３０,３０を介して車輪３２,３２が回転自在に支持されて、杭抜き機１０の運搬の便宜に供し得るようになっている。
【０００９】
前記垂直フレーム１６の水平な梁板２４には、ラチェット式のホイスト２０の本体部が配設され、該ホイスト２０に長尺のチェン１８が巻き掛けられている。このホイスト２０は一般に市販されている製品で、本体部にラチェット機構を内蔵すると共に、該ラチェット機構に接続するハンドル３４を備えている。そして前記ハンドル３４を、例えば図１において時計方向へ回転させると、前記ラチェット機構に接続する回転体(図示せず)が一方向へのみ回転し、この回転体に巻き掛けられたチェン１８を同じく一方向へのみ送り出すものである。すなわちハンドル３４を時計方向へ回転させた場合は、前記回転体(図示せず)は一方向へ回転して前記チェン１８の送り出しを行ない、これにより該回転体から垂下している側のチェン１８の強力な巻き上げが達成される。また前記ハンドル３４を反時計方向へ回転させると、前記ラチェット機構の作用下に前記回転体への回転力の伝達は遮断される。なお、所要長だけチェン１８の巻き上げがなされた後に、該チェン１８を逆方向へ巻き下げる場合は、前記ホイスト２０の本体部に設けたラチェット解除ボタン(図示せず)を押圧する等の操作を行なうことで容易に達成される。
【００１０】
【チャックについて】
図１および図２に示すように、前記ホイスト２０に巻き掛けられて垂下する前記チェン１８の下端部には、地面等に打ち込まれたパイプ杭１２の頭部を着脱自在に把持するチャック２２が設けられている。すなわち図示例では、前記チェン１８の下端部にフック３６が取付けられ、このフック３６に図４〜図６に示す構成を有するチャック２２が係着されるようになっている。
【００１１】
図４はチャック２２の正面図、図５は図４に示すチャック２２の平面図、図６は図４に示すチャック２２の右側面図である。図４〜図６に示すように、チャック２２は所要間隔で対向配置した２枚の逆Ｌ字形(鍵形)をなすチャック本体３８,３８からなり、そのチャック本体３８,３８はその上部開放端に近接した部位に挿通される接続ピン４１およびナット４２により支持固定されている。この接続ピン４１にはＵ字状のシャックル４４が設けられ、前記フック３６を該シャックル４４に係着することで、チャック２２と前記ホイスト２０からのチェン１８との取付けがなされる。
【００１２】
前記対をなす２枚のチャック本体３８,３８の略中間近傍および下部開放端には、夫々円弧状をなす第１ジョー４６および第２ジョー４８が溶接等の手段により固定されている。すなわち第１ジョー４６および第２ジョー４８は該チャック本体３８,３８に対して上下の関係で位置すると共に、図５に示す如く、平面視において第１ジョー４６が接続ピン４１に近接する側に、また第２ジョー４８が該接続ピン４１から離間する側に位置した２つの円弧が対向し合って全体的にリング状をなしている。そして夫々のジョー４６,４８の内径は、引き抜くべきパイプ杭１２の直径より僅かに大きくなる寸法に設定されている。また夫々のジョー４６,４８には、半径方向内方へ指向する雌ネジが９０°間隔で２つ水平に螺切され、これら２つの雌ネジにセットスクリュー５０,５０が進退自在に対応的にねじ込まれている。このセットスクリュー５０,５０の先端は、各ジョー４６,４８の半径方向内方へ調節自在に延出している。
【００１３】
従って図５に示すように、上方から平面状態を観察すると、全体としてドーナツ状をなす２つのジョー４６,４８には、その中心に指向する４本の各セットスクリュー５０が９０°間隔で隣接していることになる。そこで、この高低差をもって対向し合う２つのジョー４６,４８の内側に前記パイプ杭１２を臨ませた後で、夫々のセットスクリュー５０を前進方向に回転させることで、該パイプ杭１２の外周が４本のセットスクリュー５０の先端により確実にチャッキングされるに至る。このチャッキングが終了した後は、夫々のセットスクリュー５０に螺挿したロックナット５２を締結することで、該セットスクリュー５０の緩み止めがなされる。
【００１４】
【実施例の作用】
このように構成した実施例に係る杭抜き機１０により、地面に打ち込まれているパイプ杭１２を引き抜く際の一連の操作を簡単に説明する。図１および図２に示すように、下方部分を地面に打ち込まれたパイプ杭１２のところまで杭抜き機１０を到来させ、該パイプ杭１２を前記支持板１４における切欠き２６(図３)の内側に位置させる。このとき前記チェン１８は前記ホイスト２０から充分に巻き下げられて、前記チャック２２はパイプ杭１２の頭部近傍まで到来しているものとする。この状態で作業者は、パイプ杭１２の頭部を前記チャック２２における円弧状ジョー４６,４８の内面側に導入した後、前述した手順に従って前記夫々のセットスクリュー５０によるパイプ杭１２のチャッキングを行ない、更に前記ロックナット５２によって該セットスクリュー５０の緩み止めを実行する。
【００１５】
次いで前記パイプ杭１２の略真上に位置する前記ホイスト２０のハンドル３４を、図１において時計方向へ回転させると、前記ラチェット機構を介して前記チェン１８の一方向への送り(すなわち緩徐な巻き上げ)が実行される。このチェン１８の巻き上げにより前記チャック２２も次第に上昇を開始し、これに伴って該チャック２２にチャッキングされたパイプ杭１２も地面から次第に引き上げられて、最終的には引き抜きが完了するに至る。引き抜き後は、前記ホイスト２０における前述したラチェット解除ボタン(図示せず)を操作し、前記チェン１８を逆方向へ巻き下げる。
【００１６】
そしてチャッキングされたパイプ杭１２をチャック２２から外す際は、前記チェン１８を巻き下げて緩めた状態とし、しかる後に、チャック本体３８をパイプ杭１２から離間する方向(図４において反時計方向)へ傾動させることで該パイプ杭１２に対するチャッキングが解除される。これにより引き抜き済みの該パイプ杭１２は、前記チャック２２から容易に解放することができる。なおパイプ杭１２の打ち込み深さが大きくて、１回のホイスト２０によるチェン巻き上げによってはパイプ杭１２を引き抜けず、前記チェン巻き上げを何回か反復しなければならない場合もある。このような場合であっても、図示例の構成に係るチャック２２であれば、前記チェン１８を所要長だけ巻き上げて前記パイプ杭１２を引き上げてから、該チェン１８の巻き下げを行ない、次いで前述したチャック本体３８を該パイプ杭１２から離間する方向(図４において反時計方向)へ傾動させる操作によりチャッキングを解除する一連の操作を反復するだけでよい。この一連の操作に従うならば、如何に長尺で打ち込み深さの大きいパイプ杭１２であっても、その引き抜きが簡単に実行される。
【００１７】
【発明の効果】
以上に説明した如く、本発明に係る杭抜き機によれば、地面に打ち込んだパイプ等の杭を、簡単な構成でありながら極めて容易に引き抜くことができ、しかも操作に熟練等を要さず誰でも扱い得る等の優れた利点がある。
【図面の簡単な説明】
【図１】第１発明における好適実施例に係る杭抜き機の正面図である。
【図２】図１に示す杭抜き機の左側面図である。
【図３】図１に示す杭抜き機の平面図である。
【図４】杭抜き機に使用されるチャックの正面図である。
【図５】図４に示すチャックの平面図である。
【図６】図４に示すチャックの右側面図である。
【符号の説明】
１０  杭抜き機
１２  杭(パイプ)
１８  チェン
２０  ホイスト
２２  チャック
３８  チャック本体
４１  接続ピン
４４  シャックル
４６  第１ジョー
４８  第２ジョー
５０  セットスクリュー
【図１】
0004378589.tif 000002
【図２】
0004378589.tif 000003
【図３】
0004378589.tif 000004
【図４】
0004378589.tif 000005
【図５】
0004378589.tif 000006
【図６】
0004378589.tif 000007